(57)【要約】【課題】  乾燥剤の取り替え、管理が容易であり、湿気対策を必要とする商品を安定して保管ができる保存容器を提供する。【解決手段】  上部及び下部に各々開口１２，１４を有し、下部開口１４付近に水平に形成された通気性を有する隔壁１６を設けて前記上部及び下部開口を隔てる容器本体１０、前記容器本体の上部開口１２に脱着自在に取り付けられた天蓋２０、並びに容器本体の下部開口１４に脱着自在に取り付けた底蓋３０からなる保存容器。【選択図】    図２
0003164764.tif 000002
【実用新案登録請求の範囲】
【請求項１】
上部及び下部に各々開口１２，１４を有し、下部開口１４付近に水平に形成された通気性を有する隔壁１６を設けて前記上部及び下部開口を隔てる容器本体１０、前記容器本体の上部開口１２に脱着自在に取り付けられた天蓋２０、並びに容器本体の下部開口１４に脱着自在に取り付けた底蓋３０からなる保存容器。
【請求項２】
通気性を有する隔壁１６が容器本体１０と一体成形されてなる請求項１の保存容器。
【請求項３】
隔壁１６が多孔板、格子面、網面又はフィルタにより形成されてなる請求項１又は２の保存容器。
【考案の詳細な説明】
【技術分野】
【０００１】
本考案は、湿気を嫌い乾燥状態にて保管することの必要な食品・製品、たとえば、煎餅、海苔、干し椎茸などの乾物、コーンフレークスなどを長期にわたり安定して保管できる保存容器に関する。
【背景技術】
【０００２】
海苔、煎餅などを代表とする湿気を嫌う製品は、通常、乾燥剤と共に缶容器、湿気不透過性のフィルムで包装するなど、防湿包装を施し保存され、流通過程におかれる。このような商品は、消費者が購入して包装が開封された後は速やかに消費されるか、商品が残った場合は別の防湿用容器に移し替えて保管するのが望ましい。
【考案の開示】
【考案が解決しようとする課題】
【０００３】
しかしながら、一度開封された商品を防湿用容器に入れて保管しても乾燥剤の管理が充分ではないなど、これまでその防湿保管対策は信頼性できるものとは言えなかった。
本考案の目的は、前記のような湿気対策の必要な商品に対して、安定した防湿保管ができる保存容器を提供することにある。
【課題を解決するための手段】
【０００４】
本考案は、上部及び下部に各々開口１２，１４を有し、下部開口１４付近に水平に形成された通気性を有する隔壁１６を設けて前記上部及び下部開口を隔てる容器本体１０、前記容器本体の上部開口１２に脱着自在に取り付けられた天蓋２０、並びに容器本体の下部開口１４に脱着自在に取り付けた底蓋３０からなる保存容器を提供するものである。
【考案の効果】
【０００５】
本考案の保存容器を用いると、湿気を嫌う商品を安定に乾燥状態にて長期に保存することができる。
【図面の簡単な説明】
【０００６】
【図１】本考案の保存容器を示す斜視図である。
【図２】図１の保存容器の分解断面(長軸方向縦断面)斜視図である。
【図３】図１の保存容器の分解斜視図である。
【図４】図１の保存容器に乾燥剤を収容した状態を示す断面(長軸方向縦断面)斜視図である。
【図５】図４下部の乾燥剤収容部を示す拡大図である。
【考案を実施するための最良の形態】
【０００７】
つぎに本考案の保存容器について、図面を参照しながら更に具体的に説明する。
図１は本考案の保存容器を示す斜視図であり、図２は該容器の長軸方向の縦断面における分解断面の斜視図である。本考案の保存容器は容器本体１０、該容器本体の上部開口１２に取り付けられた天蓋２０、並びに容器本体の下部開口１４に取り付けた底蓋３０からなる。
容器本体１０は、水平断面の形状がおおむね長方形をなす柱状の筒体をなし、その上部に上部開口１２を、下部に下部開口１４を各々形成して外部に開放されている。また、下部開口１４付近には水平に形成された通気性を有する隔壁１６が設けられ、前記上部及び下部の開口を隔てる。図２に示す具体例において隔壁１６は多孔板であるが、網目構造、フィルタなど、その他の形態の通気性を有する隔壁であってもよい。
【０００８】
容器本体１０の上部開口１２には、脱着自在に天蓋２０が取り付けられる。該天蓋２０は容器の上面部を形成する上板２２及び、これを囲んでその外縁に形成された天蓋縁部２４からなり、該天蓋縁部２４には下向きのリング溝２６が形成される。このリング溝２６には、前記本体１０の上端に設けられた上部嵌合突起１３がはまり込み、天蓋２０と容器本体１０との気密状態を形成する。
なお、天蓋２０はその他公知のシール構造により、容器本体の上部開口１２に対して、脱着自在に取り付けられてよい。また、天蓋２０を容器本体１０に対し、より確実に固定するために容器本体又は天蓋にこれら相互を固定するロック機構を設けてもよい。
【０００９】
容器本体１０の下部開口１４には、上部開口と同様に脱着自在に底蓋３０が取り付けられる。該底蓋３０は容器の底面部を形成する底板３２、及びこれを囲んでその外縁に形成された底蓋縁部３４からなり、該底蓋縁部には上向きのリング溝３６が形成されている。このリング溝３６には、前記本体１０の下端に設けられた下部嵌合突起１５がはまり込み、底蓋３０と容器本体１０との気密状態を形成する。
【００１０】
本考案の保存容器は、種々の保存用、或いは調理用のプラスチック容器の材料として汎用の各種材料がいずれも用いられてよく、通常、ポリプロピレンなど適宜のプラスチックを用いて成形することができる。
また、本考案の保存容器の内側寸法は煎餅、海苔、干し椎茸などの保管対象物を勘案して適宜変更してよい。
【００１１】
(保存容器の使用)
本発明の保存容器の使用法を図３〜５を用いて説明する。図５は図４下部の乾燥剤を収容する部分を拡大した部分拡大断面図である。これらの図面に示すように、隔壁１６と底蓋３０とにより形成される乾燥剤保管部に乾燥剤Ｄを収納して底蓋３０を閉じ、容器本体１０に保管商品を入れた後、天蓋２０を閉じて商品の保管を行う。
ここで用いる乾燥剤としては、食品衛生、安全上の配慮がなされたものであればよく、通常、シリカゲルなどの公知の乾燥剤がいずれも用いられてよい。
乾燥剤の乾燥能力が低下した場合、容器本体の下部の底蓋３０を取り外し、新たな乾燥剤と交換する。また、再生可能な乾燥剤を使用する場合、当該乾燥剤に応じた再生方法(電子レンジによる加熱、天日干し等)により再生を行う。
【産業上の利用可能性】
【００１２】
この保存容器に煎餅、海苔、乾物などの食品、その他を入れて保存することにより、内容物を乾燥状態のまま長期にわたり保存することができる。
この保存容器では乾燥剤を収容する部分が容器の底部に別空間として設けられており、保管中の商品をそのままにして容器の底蓋のみを取り外して容易に乾燥剤を交換することができる。また、乾燥剤が最下部に設置されており、効率的な吸湿ができる。さらに、隔壁を本体と一体に形成することにより保管内容物の残片などの掃除、除去が容易である。
【符号の説明】
【００１３】
１０  容器本体      １２  上部開口          １３  上部嵌合突起
１４  下部開口      １５  下部嵌合突起      １６  隔壁            
２０  天蓋          ２２  上板              ２４  天蓋縁部        ２６  リング溝
３０  底蓋          ３２  底板              ３４  底蓋縁部        ３６  リング溝
Ｄ  乾燥剤  
【図１】
0003164764.tif 000003
【図２】
0003164764.tif 000004
【図３】
0003164764.tif 000005
【図４】
0003164764.tif 000006
【図５】
0003164764.tif 000007